【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
ビデオビットストリームを変換符号化する場合に画像品質の損失を最小化する方法において、
（ａ）符号化された画像のシーケンスを有する第１フォーマットの第１ビットストリームを入力するステップと、
（ｂ）前記第１ビットストリームを変換符号化して、第２ビットストリームを生成するステップと、
（ｃ）前記第１ビットストリームから導出された追加情報を前記第２ビットストリームに挿入するステップと、
（ｄ）前記第２ビットストリームを前記追加情報と共に第２フォーマットで送信するステップと、
（ｅ）前記第２ビットストリームを受信するステップと、
（ｆ）前記第２ビットストリームを、前記追加情報を前記第２ビットストリームに関する画像構造を規定するために使用して、第３フォーマットの第３ビットストリームに変換符号化するステップと、
を有していることを特徴とする方法。
【請求項２】
請求項１に記載の方法において、前記第２ビットストリームのビットレートが前記第１又は第３ビットストリームのビットレートよりも高いことを特徴とする方法。
【請求項３】
前記ステップ（ｂ）において、前記第２ビットストリームがイントラ符号化された画像のみとして符号化されることを特徴とする請求項１又は請求項２に記載の方法。
【請求項４】
前記ステップ（ｃ）において、前記第１ビットストリームから導出された前記追加情報が画像シーケンス構造情報に関するものであることを特徴とする請求項１、２又は３に記載の方法。
【請求項５】
請求項１、２、３又は４に記載の方法において、前記追加情報が、画像又は画像のシーケンスの画像型式情報を更に含むことを特徴とする方法。
【請求項６】
前記ステップ（ｄ）において、前記追加情報が、前記第２ビットストリームにおける標準ビデオデータフォーマットのユーザデータフィールドとして定義されるフィールドに挿入されることを特徴とする請求項１ないし５の何れか一項に記載の方法。
【請求項７】
前記ステップ（ｅ）において、前記第１ビットストリームにおいてイントラ符号化された画像が、前記第３ビットストリームにおいてイントラ符号化された画像として優先的に変換符号化されることを特徴とする請求項１ないし６の何れか一項に記載の方法。
【請求項８】
請求項１ないし７の何れか一項に記載の方法において、前記第２ビットストリームに挿入された前記第１ビットストリームに関する前記追加情報が、"picture_header"フィールドの後の"user_data"フィールドに挿入されるＭＰＥＧ"group_start_code"並びに"closed_gop"及び"broken_link"フィールドの内容を含むことを特徴とする方法。
【請求項９】
請求項１ないし８の何れか一項に記載の方法において、前記ストリームに挿入される更なる情報が、"picture_header"フィールドの後の"user_data"フィールドに挿入されるＭＰＥＧ"picture_coding_type"フィールドの内容を含むことを特徴とする方法。
【請求項１０】
請求項１ないし９の何れか一項に記載の方法において、前記ステップ（ａ）ないし（ｄ）は第１ビデオ処理装置において実行される一方、前記ステップ（ｅ）ないし（ｆ）は前記第２ビットストリームの伝送のために前記第１装置に接続された第２装置において実行されることを特徴とする方法。
【請求項１１】
第１フォーマットの第１ビットストリームをデジタルインターフェースを介して伝送するために第２フォーマットの第２ビットストリームに変換符号化する方法において、該変換符号化する方法が、前記第１フォーマットにおける前記第１ビットストリームの構造に関する追加情報を前記第２ビットストリームに埋め込むステップを含んでいることを特徴とする方法。
【請求項１２】
請求項１１に記載の方法において、前記第２ビットストリームのビットレートが前記第１ビットストリームのビットレートよりも高いことを特徴とする方法。
【請求項１３】
請求項１１又は１２に記載の方法において、前記追加情報は、前記第２ビットストリームにおいてイントラ符号化画像として符号化された何の画像が前記第１ビットストリームにおいてイントラ符号化画像として符号化されていなかったかを特定することを特徴とする方法。
【請求項１４】
第２フォーマットの第２ビットストリームを第３フォーマットの第３ビットストリームに変換符号化する方法において、前記第２フォーマットの前記第２ビットストリームはデジタルインターフェースを介して受信されると共に前記第２ビットストリームに埋め込まれた情報を用いて前記第３フォーマットの前記第３ビットストリームに変換符号化され、前記情報は、前記第２ビットストリームが前に導出された第１フォーマットの第１ビットストリームの構造を規定していることを特徴とする方法。
【請求項１５】
請求項１４に記載の方法において、前記第２ビットストリームのビットレートが前記第３ビットストリームのビットレートよりも高いことを特徴とする方法。
【請求項１６】
請求項１４又は１５に記載の方法において、前記第３ビットストリームはインター符号化された画像及びイントラ符号化された画像の両方を含み、前記追加情報は、前記第２ビットストリームにおけるイントラ符号化画像として符号化された何の画像が前記第３ビットストリームにおいて、前記第２ビットストリームにおいてイントラ符号化画像として符号化された他の画像よりも優先して、イントラ符号化画像として符号化されるべきかを制御するために使用されることを特徴とする方法。
【請求項１７】
請求項１ないし１０及び１４ないし１６の何れか一項に記載の方法において、前記第３ビットストリームを請求項１ないし１０及び１４ないし１６の何れか一項に記載の方法を実施化する記録担体上に記録するステップを更に有していることを特徴とする方法。
【請求項１８】
請求項１ないし１７の何れか一項に記載の方法を実施するように特別に構成された手段を有することを特徴とする装置。
【請求項１９】
ビデオビットストリームを変換符号化する場合に画像品質の損失を最小化する装置において、
（ａ）符号化された画像のシーケンスを有する第１フォーマットの第１ビットストリームを入力する手段と、
（ｂ）前記第１ビットストリームを先ず変換符号化して、第２ビットストリームを生成する手段と、
（ｃ）前記第１ビットストリームから導出された追加情報を前記第２ビットストリームに挿入する手段と、
（ｄ）前記第２ビットストリームを前記追加情報と共に第２フォーマットで送信する手段と、
（ｅ）前記第２ビットストリームを受信する手段と、
（ｆ）前記第２ビットストリームを、前記追加情報を前記第２ビットストリームに関する画像構造を規定するために使用して、第３フォーマットの第３ビットストリームに変換符号化する手段と、
を有していることを特徴とする装置。
【請求項２０】
請求項１９に記載の装置において、前記先ず変換符号化する手段が、前記第２ビットストリームをイントラ符号化画像のみとして符号化することを特徴とする装置。
【請求項２１】
請求項１９又は２０に記載の装置において、前記追加情報を挿入する手段により挿入された前記追加情報が、前記第１ビットストリームから画像シーケンス構造情報に関して導出されることを特徴とする装置。
【請求項２２】
請求項１９、２０又は２１に記載の装置において、前記追加情報が、画像又は画像のシーケンスの画像型式情報を更に含んでいることを特徴とする装置。
【請求項２３】
請求項１９ないし２２の何れか一項に記載の装置において、前記第２ビットストリームを送信する手段は、前記追加情報を前記第２ビットストリームにおける標準のビデオデータフォーマットにおいてユーザデータフィールドとして定義されるフィールドに挿入することを特徴とする装置。
【請求項２４】
請求項１９ないし２３の何れか一項に記載の装置において、前記第２ビットストリームを変換符号化する手段は、前記第１ビットストリームにおいてイントラ符号化されていた画像を前記第３ビットストリームにおいてイントラ符号化画像として優先的に変換符号化することを特徴とする装置。
【請求項２５】
請求項１９ないし２４の何れか一項に記載の装置において、前記第２ビットストリームに挿入された前記第１ビットストリームに関する前記追加情報が、"picture_header"フィールドの後の"user_data"フィールドに挿入されるＭＰＥＧ"group_start_code"並びに"closed_gop"及び"broken_link"フィールドの内容を含むことを特徴とする装置。
【請求項２６】
請求項１９ないし２５の何れか一項に記載の装置において、前記ストリームに挿入される更なる情報が、"picture_header"フィールドの後の"user_data"フィールドに挿入されるＭＰＥＧ"picture_coding_type"フィールドの内容を含むことを特徴とする装置。
【請求項２７】
請求項１９ないし２６の何れか一項に記載の装置において、前記手段（ａ）ないし（ｄ）は第１ビデオ処理装置に含まれる一方、前記手段（ｅ）ないし（ｆ）は前記第２ビットストリームの伝送のために前記第１装置に接続された第２装置に含まれることを特徴とする装置。
【請求項２８】
デジタルインターフェースを介して伝送すべく第１フォーマットの第１ビットストリームを第２フォーマットの第２ビットストリームに変換符号化するために請求項１の前記ステップ（ａ）ないし（ｃ）を実行する装置において、該装置は、前記第２ビットストリームに、前記第１フォーマットの前記第１ビットストリームの構造に関する追加情報を導出して挿入することを特徴とする装置。
【請求項２９】
請求項２８に記載の装置において、前記追加情報は、前記第２ビットストリームにおいてイントラ符号化画像として符号化された何の画像が前記第１ビットストリームにおいてイントラ符号化画像として符号化されていなかったかを特定することを特徴とする装置。
【請求項３０】
第２フォーマットの第２ビットストリームを第３フォーマットの第３ビットストリームに変換符号化する請求項１の前記ステップ（ｅ）ないし（ｆ）を実行する装置において、前記第２フォーマットの前記第２ビットストリームはデジタルインターフェースを介して受信されると共に前記第２ビットストリームに埋め込まれた情報を用いて前記第３フォーマットの前記第３ビットストリームに変換符号化され、前記情報は、前記第２ビットストリームが前に導出された第１フォーマットの第１ビットストリームの構造を規定していることを特徴とする装置。
【請求項３１】
請求項３０に記載の装置において、前記第３ビットストリームはインター符号化された画像及びイントラ符号化された画像の両方を含み、前記追加情報は、前記第２ビットストリームにおけるイントラ符号化画像として符号化された何の画像が前記第３ビットストリームにおいて、前記第２ビットストリームにおいてイントラ符号化画像として符号化された他の画像よりも優先して、イントラ符号化画像として符号化されるべきかを制御するために使用されることを特徴とする装置。
【請求項３２】
請求項１９ないし２７及び３０ないし３１の何れか一項に記載の装置において、前記第３ビットストリームを請求項１ないし１７の何れか一項に記載の方法に従って記録担体上に記録する手段を更に有していることを特徴とする装置。
【請求項３３】
一連のイントラ符号化画像として中間フォーマットで符号化されたビデオストリームを表す電子信号を発生する装置において、該信号が、前記イントラ符号化画像が導出された画像型式及び画像シーケンスを示す符号化された追加の履歴的機能的情報を更に有することを特徴とする装置。
【請求項３４】
請求項３３に記載の装置において、前記電子信号が前記履歴的機能的情報を標準のビデオデータフォーマットのユーザデータフィールドにおいて符号化していることを特徴とする装置。